(57)【特許請求の範囲】
【請求項１】
複数のタイルを横並びに取り付けるための下地材の左端から右端まで渡すように、一のタイルの上端から下端まで間欠的に複数配置されるベース金具と、
前記ベース金具のうち最下段以外に、前記タイルに貼着するために前記タイルごとに複数係止される支持金具と、
前記ベース金具のうち最下段に、前記タイルを載置するために前記タイルごとに複数係止される荷重受け金具と、を備え、
前記支持金具及び前記荷重受け金具は、前記ベース金具に掛けたときに揺動可能に前記ベース金具に載る湾曲片を有し、
前記タイルが前記下地材に対して傾斜したときに、一のタイルの任意の段における複数の前記湾曲片のうち少なくとも一点が前記ベース金具に接触する、
ことを特徴とするタイル支持金具。
【請求項２】
前記支持金具及び前記荷重受け金具は、前方に突出するブリッジが形成され、前記ベース金具に弾性接着剤を付着させずに、前記ブリッジに前記弾性接着剤を絡ませた上で、前記タイルと接着される、
ことを特徴とする請求項１に記載のタイル支持金具。
【請求項３】
前記支持金具及び前記荷重受け金具は、上部が後側に折り返され先端に前記湾曲片を有する上フックと、縦ズレ可能に前記ベース金具に留めるための縦ルーズホールと、を備える、
ことを特徴とする請求項１又は２に記載のタイル支持金具。
【請求項４】
前記ベース金具は、前記支持金具又は前記荷重受け金具を掛けるための上片と、前記湾曲片を載せるための金具受けと、前記下地材に留めるための固定面と、前記支持金具又は前記荷重受け金具の背面を受けるための下当てと、を備える、
ことを特徴とする請求項１乃至３の何れか一に記載のタイル支持金具。
【発明の詳細な説明】
【技術分野】
【０００１】
本発明は、揺れに対して追従可能にタイルを取り付けるためのタイル支持金具に関する。
【背景技術】
【０００２】
建物の外壁は、下地材にタイルや石材などを貼り付けることで仕上げられる。なお、仕上げ方法としては、下地材にモルタルを使用して直接タイル等を貼着する湿式工法や、下地材に固定した支持金具にタイル等を引っ掛けて弾性接着剤で貼着する乾式工法などがある。下地材としては、ＰＣ（プレキャストコンクリート）板、ＡＬＣ（高温高圧蒸気養生された軽量気泡コンクリート）パネル、ＥＣＰ（押出成形セメント板）などがある。
【０００３】
例えば、ＥＣＰは、ＰＣ板より軽量で耐火性能も有しており、地震などの振動により建物が変形してもある程度追従して動くが、板間を跨いでタイル等を貼ることは困難であり、板内で割り付けられるものに制限されることが多い。特許文献１に記載されているように、タイルを固定する下地材自体が建物躯体に対して水平方向に相対移動可能に取り付けた発明も開示されている。
【０００４】
また、特許文献２に記載されているように、揺れに対して追従可能にタイルを取り付けるためのタイル支持金具の発明も開示されている。また、特許文献３に記載されているように、大型タイルを乾式施工する場合において地震等の振動に追従可能にしたタイルパネルの支持構造の発明も開示されている。
【先行技術文献】
【特許文献】
【０００５】
【特許文献１】特許第３１７１５６７号公報
【特許文献２】特許第６４０６６８４号公報
【特許文献３】特許第６５１９９０５号公報
【発明の概要】
【発明が解決しようとする課題】
【０００６】
しかしながら、特許文献１に記載の発明では、下地材が建物躯体に対して相対移動可能ではあるが、タイル等と下地材との間では地震などの大きな揺れに追従することができない。タイル等を弾性接着剤で下地材に貼着している場合、ある程度の振動は弾性接着剤で吸収することはできるが、タイル等が大型になると、大きな揺れに対しては歪みを吸収しきれずに、接着剤がひび割れし、タイル等や下地材まで破壊されるおそれがある。
【０００７】
さらに、タイル等を係止するための支持金具は、上側のタイルの下面を支持すると共に、下側のタイルの上面を支持するために、上側のタイルと下側のタイルの間に配置することが多いが、振動に対する追従性を良くするために支持金具を上下に分けると、コストが増大するだけでなく、ビス等で空ける穴が多くなることで下地材の強度も落ちてしまう。
【０００８】
また、特許文献２に記載の発明では、荷重受け金具がベース金具に対して横方向にスライド移動することにより横揺れに対して柔軟に対応することができるが、縦揺れに対応することが困難である。また、特許文献３に記載の発明では、大型で重量のあるタイルパネルを壁面に対して一点で支持することにより左右に揺動可能であるが、同様に縦揺れへの対応は不十分である。
【０００９】
そこで、本発明は、大型タイルを乾式施工する場合において、横揺れ及び縦揺れに対して追従可能にタイルを取り付けるためのタイル支持金具を提供することを目的とする。
【課題を解決するための手段】
【００１０】
上記の課題を解決するために、本発明であるタイル支持金具は、複数のタイルを横並びに取り付けるための下地材の左端から右端まで渡すように、一のタイルの上端から下端まで間欠的に複数配置されるベース金具と、前記ベース金具のうち最下段以外に、前記タイルに貼着するために前記タイルごとに複数係止される支持金具と、前記ベース金具のうち最下段に、前記タイルを載置するために前記タイルごとに複数係止される荷重受け金具と、を備え、前記支持金具及び前記荷重受け金具は、前記ベース金具に掛けたときに揺動可能に前記ベース金具に載る湾曲片を有し、前記タイルが前記下地材に対して傾斜したときに、一のタイルの任意の段における複数の前記湾曲片のうち少なくとも一点が前記ベース金具に接触する、ことを特徴とする。
【００１１】
前記タイル支持金具において、前記支持金具及び前記荷重受け金具は、前方に突出するブリッジが形成され、前記ベース金具に弾性接着剤を付着させずに、前記ブリッジに前記弾性接着剤を絡ませた上で、前記タイルと接着される、ことを特徴とする。
【００１２】
前記タイル支持金具において、前記支持金具及び前記荷重受け金具は、上部が後側に折り返され先端に前記湾曲片を有する上フックと、縦ズレ可能に前記ベース金具に留めるための縦ルーズホールと、を備える、ことを特徴とする。
【００１３】
前記タイル支持金具において、前記ベース金具は、前記支持金具又は前記荷重受け金具を掛けるための上片と、前記湾曲片を載せるための金具受けと、前記下地材に留めるための固定面と、前記支持金具又は前記荷重受け金具の背面を受けるための下当てと、を備える、ことを特徴とする。
【発明の効果】
【００１４】
本発明によれば、大型タイルを乾式施工する場合において、横揺れ及び縦揺れに対して追従可能にタイルを取り付けることができる。支持金具及び荷重受け金具がベース金具に対して揺動可能なので、大きな揺れによって下地材に歪みが生じても、支持金具及び荷重受け金具で支持されているタイルがベース金具によってロックされず、揺れに対して柔軟に対応することができる。下地材の歪みによって弾性接着剤で吸収しなければならない応力が軽減されるので、弾性接着剤が割れて、タイルや下地材まで破壊されるのを抑制することができる。
【図面の簡単な説明】
【００１５】
【図１】本発明であるタイル支持金具を用いてタイルを貼り付けた壁面を示す正面図である。
【図２】本発明であるタイル支持金具を用いてタイルを貼り付けた壁面を示す平面図、タイルを透過させた正面図、及び側面図である。
【図３】本発明であるタイル支持金具を用いてタイルを貼り付けた壁面を示す一部を拡大した平面図、タイルを透過させた正面図、及び側面図である。
【図４】本発明であるタイル支持金具におけるベース金具を示す平面図、正面図、及び側面図である。
【図５】本発明であるタイル支持金具における支持金具を示す平面図、正面図、及び側面図である。
【図６】本発明であるタイル支持金具における荷重受け金具を示す平面図、正面図、及び側面図である。
【図７】本発明であるタイル支持金具を用いてタイルを貼り付けた壁面の状態を示す正面側の斜視図である。
【図８】本発明であるタイル支持金具を用いてタイルを貼り付けた壁面の振動時の状態を示す背面側の斜視図である。
【発明を実施するための形態】
【００１６】
以下に、本発明の実施形態について図面を参照して詳細に説明する。同一機能を有するものは同一符号を付け、その繰り返しの説明は省略する場合がある。なお、正面図において手前側を前（表）、奥側を後（裏）とする。
【実施例１】
【００１７】
まず、本発明であるタイル支持金具を用いてタイルを貼り付けた壁面について説明する。図１は、当該壁面を示す正面図である。図２は、当該壁面を示す（ａ）平面図、（ｂ）タイルを透過させた正面図、及び（ｃ）側面図である。図３は、当該壁面を示す一部を拡大した（ａ）平面図、（ｂ）タイルを透過させた正面図、及び（ｃ）側面図である。
【００１８】
図１に示すように、壁面１００は、縦長のタイル１１０を複数横に並べて乾式工法により貼り付けたものである。タイル１１０は、下地材１２０（図２参照）に複数のベース金具２００を配置し、各ベース金具２００に係止した複数の支持金具３００又は荷重受け金具４００に取り付けられる。
【００１９】
タイル１１０は、建物の外壁を保護する薄い装飾材であり、陶磁器製や石材などがある。主に矩形状のものが縦横に複数配列される。本実施例では、縦の長さが数メートルある大型で重量のあるものを使用する。
【００２０】
図２、３に示すように、下地材１２０は、建物の躯体の外面に、タイル１１０を貼るための下地として使用される壁材であり、ＰＣ板、ＡＬＣパネル、ＥＣＰなどがある。なお、耐火板を用いたり、胴縁を用いて通気層を設けたりしても良い。
【００２１】
ベース金具２００は、横長の金具であり、複数のタイル１１０を横並びに取り付けるための下地材１２０の左端から右端まで渡すように取り付けられる。また、複数のベース金具２００が、一のタイル１１０の上端から下端まで所定の間隔を置いて間欠的に配置される。なお、木造建築の場合、柱や間柱などの柱材１３０のある位置に合わせて、木造用基盤取付ビスなどの長い留具１４０を下地材１２０に打ち（ねじ）込んで、ベース金具２００を固定しても良い。
【００２２】
支持金具３００は、ベース金具２００のうち最下段以外のものに係止される。支持金具３００は、タイル１１０に貼着するために用いられるが、各段においてタイル１１０ごとに複数（例えば、間隔を置いて左側と右側の２つ）の支持金具３００が使用される。
【００２３】
また、荷重受け金具４００は、ベース金具２００のうち最下段のものに係止される。荷重受け金具４００は、タイル１１０に貼着するだけでなく、タイル１１０を載置してタイル１１０の荷重を支えるために用いられる。支持金具３００と同様に、タイル１１０ごとに複数の荷重受け金具４００が使用される。
【００２４】
支持金具３００及び荷重受け金具４００は、ベース金具２００に掛けた上で、鉄骨造用留付ビスなどの短い留具１５０でネジ留めされる。なお、留め位置を調整するため、又は地震その他の振動などで位置ズレを許容するために、ルーズホール（長孔）を空けておくのが好ましい。
【００２５】
支持金具３００又は荷重受け金具４００と、タイル１１０との間を、弾性接着剤などの接着剤１６０で接着する。なお、タイル１１０の裏面にグラスファイバーメッシュなど網材１７０を貼れば、タイル１１０の剥離や、損傷したタイル１１０の破片の飛散が抑制される。
【００２６】
次に、本発明であるタイル支持金具の各部材について説明する。図４は、タイル支持金具におけるベース金具を示す（ａ）平面図、（ｂ）正面図、及び（ｃ）側面図である。図５は、タイル支持金具における支持金具を示す（ａ）平面図、（ｂ）正面図、及び（ｃ）側面図である。図６は、タイル支持金具における荷重受け金具を示す（ａ）平面図、（ｂ）正面図、及び（ｃ）側面図である。
【００２７】
図４に示すように、ベース金具２００は、支持金具３００又は荷重受け金具４００を掛けるための上片２１０、支持金具３００の湾曲片３２０（図５参照）又は荷重受け金具４００の湾曲片４２０（図６参照）を載せるための金具受け２２０、下地材１２０に留めるための固定面２３０、及び支持金具３００又は荷重受け金具４００を受けるための下当て２４０等を備える。
【００２８】
上片２１０は、ベース金具２００の上部分であり、下地材１２０より前方に出して下地材１２０との間に隙間を確保することで、支持金具３００の上フック３１０（図５参照）又は荷重受け金具４００の上フック４１０（図６参照）を引っ掛けさせる。
【００２９】
金具受け２２０は、上片２１０の下側を後方に折り曲げることで、支持金具３００又は荷重受け金具４００を掛けたときに、上フック３１０、４１０の先端を載せる。なお、上片２１０の上面は、上フック３１０、４１０に接触させないようにする。
【００３０】
固定面２３０は、金具受け２２０の後側を下方に折り曲げた中間部分であり、下地材１２０に接触させる面である。固定面２３０に空けた横ルーズホールや円孔などの留孔２５０に留具１４０を通して、ベース金具２００を下地材１２０に固定する。横ルーズホールにすることで、下地材１２０を複数の板材で構成したときの継目を避けたり、柱材１３０の位置に合わせたりすることが可能となる。
【００３１】
下当て２４０は、固定面２３０の下側を、上片２１０と同じ位置まで前方に出した下部分であり、支持金具３００又は荷重受け金具４００と接触する面である。下当て２４０に空けた留孔２６０に留具１５０を通して、支持金具３００又は荷重受け金具４００をベース金具２００に留める。
【００３２】
図５に示すように、支持金具３００は、上部が後側に折り返される上フック３１０、上フック３１０の先端を円弧状に成形した湾曲片３２０、前方に台形状等に突出させたブリッジ３３０、縦ズレ可能にベース金具２００に留めるための縦ルーズホール３４０等を備える。
【００３３】
上フック３１０は、支持金具３００の上部分であり、ベース金具２００の上片２１０に引っ掛ける。先端で下方を向いた湾曲片３２０は、ベース金具２００の金具受け２２０に載せられる。湾曲片３２０から上フック３１０の上端までの長さは、上片２１０の長さよりも長くすることで、湾曲片３２０と金具受け２２０とを接触させ、支持金具３００を揺動可能にベース金具２００に載置する。
【００３４】
ブリッジ３３０は、支持金具３００に複数形成される。ブリッジ３３０の上側及び下側には間隙を空けておき、ブリッジ３３０の裏側に接着剤１６０が入り込むようにする。ただし、接着剤１６０がベース金具２００には付着しないようにする。支持金具３００は、ブリッジ３３０に接着剤１６０を絡ませた上で、タイル１１０と接着される。
【００３５】
縦ルーズホール３４０は、ベース金具２００の下当て２４０に空けた留孔２６０に留具１５０を通して、支持金具３００をベース金具２００に留める。縦方向の長孔にすることで、地震その他の振動などで支持金具３００が揺動しても上下方向の位置ズレが許容される。
【００３６】
図６に示すように、荷重受け金具４００は、タイル受け４５０を備えること以外は、支持金具３００と同様である。すなわち、上フック４１０は、上フック３１０と同様であり、湾曲片４２０は、湾曲片３２０と同様であり、ブリッジ４３０は、ブリッジ３３０と同様であり、縦ルーズホール４４０は、縦ルーズホール３４０と同様である。
【００３７】
タイル受け４５０は、荷重受け金具４００の下部を前側に折り曲げることで、タイル１１０を載置させる。なお、下地材１２０にタイル受けを設けた場合は、荷重受け金具４００ではなく、支持金具３００を用いても良い。
【００３８】
次に、本発明であるタイル支持金具を用いてタイルを貼り付けた壁面の状態及び振動時の状態について説明する。図７は、当該壁面における（ａ）支持金具、及び（ｂ）荷重受け金具の状態を示す正面側の斜視図である。図８は、当該壁面における（ａ）平常時、及び（ｂ）振動時の状態を示す背面側の斜視図である。
【００３９】
図７に示すように、タイル１１０の裏面に支持金具３００及び荷重受け金具４００が接着剤１６０により固着される。また、下地材１２０の表面にベース金具２００が留具１４０により固定される。そして、ベース金具２００に、支持金具３００及び荷重受け金具４００が揺動可能に係止される。
【００４０】
図８（ａ）に示すように、平常時は、支持金具３００の湾曲片３２０の最も突出した中央点が、ベース金具２００の金具受け２２０と接触する。図８（ｂ）に示すように、振動時は、支持金具３００の湾曲片３２０の中央点から左又は右に移動した点が、ベース金具２００の金具受け２２０と接触する。
【００４１】
例えば、一のタイル１１０について２つの支持金具３００が固着され、最上段のベース金具２００に２つの支持金具３００が係止されている場合において、タイル１１０が下地材１２０と相対して右側に大きく傾斜した際に、左側の支持金具３００の湾曲片３２０が金具受け２２０から浮いたとしても、右側の支持金具３００の湾曲片３２０の右端など一点が金具受け２２０に接触していれば良い。
【００４２】
すなわち、タイル１１０が下地材１２０に対して傾斜したときに、一のタイル１１０の任意の段における複数の湾曲片３２０のうち、少なくとも一点がベース金具２００に接触する。
【００４３】
本発明によれば、大型タイルを乾式施工する場合において、横揺れ及び縦揺れに対して追従可能にタイルを取り付けることができる。支持金具及び荷重受け金具がベース金具に対して揺動可能なので、大きな揺れによって下地材に歪みが生じても、支持金具及び荷重受け金具で支持されているタイルがベース金具によってロックされず、揺れに対して柔軟に対応することができる。下地材の歪みによって弾性接着剤で吸収しなければならない応力が軽減されるので、弾性接着剤が割れて、タイルや下地材まで破壊されるのを抑制することができる。
【００４４】
以上、本発明の実施例を述べたが、これらに限定されるものではない。例えば、タイルを縦方向に配置する場合にも適用することができる。
【符号の説明】
【００４５】
１００：壁面
１１０：タイル
１２０：下地材
１３０：柱材
１４０：留具
１５０：留具
１６０：接着剤
１７０：網材
２００：ベース金具
２１０：上片
２２０：金具受け
２３０：固定面
２４０：下当て
２５０：留孔
２６０：留孔
３００：支持金具
３１０：上フック
３２０：湾曲片
３３０：ブリッジ
３４０：縦ルーズホール
４００：荷重受け金具
４１０：上フック
４２０：湾曲片
４３０：ブリッジ
４４０：縦ルーズホール
４５０：タイル受け
【要約】
【課題】大型タイルを乾式施工する場合において、横揺れ及び縦揺れに対して追従可能にタイルを取り付けるためのタイル支持金具を提供する。
【解決手段】タイル支持金具は、複数のタイルを横並びに取り付けるための下地材の左端から右端まで渡すように、一のタイルの上端から下端まで間欠的に複数配置されるベース金具と、前記ベース金具のうち最下段以外に、前記タイルに貼着するために前記タイルごとに複数係止される支持金具と、前記ベース金具のうち最下段に、前記タイルを載置するために前記タイルごとに複数係止される荷重受け金具と、を備え、前記支持金具及び前記荷重受け金具は、前記ベース金具に掛けたときに揺動可能に前記ベース金具に載る湾曲片を有し、前記タイルが前記下地材に対して傾斜したときに、一のタイルの任意の段における複数の前記湾曲片のうち少なくとも一点が前記ベース金具に接触する。
【選択図】図１【図１】
0006671739.tif 000002
【図２】
0006671739.tif 000003
【図３】
0006671739.tif 000004
【図４】
0006671739.tif 000005
【図５】
0006671739.tif 000006
【図６】
0006671739.tif 000007
【図７】
0006671739.tif 000008
【図８】
0006671739.tif 000009